(57)【要約】    【課題】手が届きにくいところにも届き、楽な姿勢で聴診することができ携帯にも便利な聴診具の提供。    【解決手段】本発明に係る聴診具１は、伸縮自在のロッド３を備えている。この聴診具１には、ロッド３の後端１３に耳当部５が取り付けられている。この耳当部５は、耳と当接する部分が曲面であることが好ましい。この耳当部５は、曲面を備えた曲面体１５及びこの曲面体１５をロッドに取り付けるための取付部品１７を備えている。曲面体１５は、触感がよい面から樹脂製が好適に用いられる。聴診具１の先端部分には先端が尖った触端部９が備えられている。このため聴診具１には、携帯に便利なため、先端部分を覆うカバー１１が備えられることが好ましい。【選択図】図１
2005300343.tif 000002
【特許請求の範囲】
【請求項１】
伸縮自在のロッドと、
このロッドの一端に取り付けられた耳当部と
を備えた聴診具。
【請求項２】
上記耳当部の耳と当接する部分が曲面である請求項１に記載の聴診具。
【発明の詳細な説明】
【技術分野】
【０００１】
本発明は、自動車エンジン、モーター等の機械が発する音を診断するための聴診具に関する。
【背景技術】
【０００２】
自動車の整備に際して、整備工がドライバーの先端をエンジンに当てて他端を耳に当て、エンジン音が正常か否か調べることはよく行われている。この聴診によって、異常音がある場合は、その発生源がどこかを診断している。この診断法は、自動車の整備に限らず工場の機械故障の原因発見等、多くの場所で用いられる。また、この診断法は、簡単、かつ手軽であっても、よく異常が発見できることが知られている。
【０００３】
ドライバーは、通常携帯されて本来の目的に用いられるとともに、上記の診断に転用できる点から便利である。しかし、ドライバーは、短いために、この診断の用途には使いにくい場合も多い。例えば、機械が折り重なった奥の部分等には、ドライバーの先端が届かないことがある。場所によっては、診断者が腰をかがめて聴診しなければならず、腰痛を引き起こす可能性がある。また、機械の熱気や油に顔を近づけなけれならない場合は、危険であり又汚れる心配がある。
【０００４】
ドライバーが短いために生じる不便を改良するための考案が実開平１−１５９８１８に記載されている。この考案に係る聴診器は、ドライバーの柄に当たる部分に共鳴室が設けられ、この共鳴音が医療用聴診器と同様の聴診器でチューブを介して耳に導かれるものである。この聴診器でも、奥まった部分の診断には聴診器を持つ手が届かない場合がある。また、この聴診器は、チューブからイヤホンまでの連接部分がかさばるため、携帯に不便である。聴診時のみに上記連接部分が共鳴室に接続されるとしても、連接部分の取り出し、チューブの接続等がわずらわしい欠点がある。
【特許文献１】実開平１−１５９８１８号公報
【発明の開示】
【発明が解決しようとする課題】
【０００５】
本発明は、上記のような現状に鑑みてなされたものであり、比較的奥まった部分等手が届きにくいところにも届き、楽な姿勢で聴診することができる上、携帯にも便利な聴診具を提供することを目的としている。
【課題を解決するための手段】
【０００６】
本発明に係る聴診具は、
伸縮自在のロッドと、
このロッドの一端に取り付けられた耳当部と
を備えている。
【０００７】
好ましくは、この聴診具は、上記耳当部の耳と当接する部分が曲面である。
【発明の効果】
【０００８】
この聴診具は、伸縮自在のロッドが縮められて携帯され、聴診時には携帯時の数倍の長さに伸ばされて用いられる。このため、携帯に便利であり、手元から遠い機械類でも聴診できる。したがって、聴診者が無理な姿勢で機械類を診断する必要がない。また、聴診者にとって、熱や、油類が気になることが少なくなる。
【発明を実施するための最良の形態】
【０００９】
以下、適宜図面が参照されつつ、好ましい実施形態に基づいて本発明が詳細に説明される。
【００１０】
図１は、本発明の一実施形態に係る聴診具１が示された正面図である。この聴診具１は、ロッド３と、このロッド３の一端に取り付けられた耳当部５とを備えている。この図１では、聴診具１のロッド３が縮められている状態が示されている。この図では、内部の詳細は複雑であるため略して示されている。聴診具１は通常、この図１の状態で携帯又は保管される。
【００１１】
図２は、ロッド３が伸ばされた状態が示された正面図である。この図では、聴診具１が聴診に用いられる状態が示されている。図３は、聴診具１の後端部分が示された部分断面図である。この図３には、耳当部５及びクリップ７の取付状態が示されている。図４（ａ）は、聴診具１の先端部分が示された部分正面図である。図４（ｂ）は図４（ａ）のＢ−Ｂ線に沿った断面図である。この図４（ａ）及び（ｂ）では、触端部９及びカバー１１の詳細が示されている。
【００１２】
上記ロッド３には、ラジオの受診用アンテナ等に用いられているものと同様の構造のものが用いられ得る。ロッド３は、入れ子式になった複数のパイプからなる。ロッド３のパイプの段数は特に制限はないが、少なすぎると、伸縮長さの自由度が少なく、また多すぎると聴診中の不測の衝撃等に対するロッド３の耐久性が低くなる恐れがある。図２に示されているように聴診具１では、ロッド３は、ステンレス製７段のパイプ（Ｐ１からＰ７）からなり、後端のパイプ（Ｐ１）が太く、先端のパイプ（Ｐ７）が細くなっている。
【００１３】
このロッド３は、聴診のため使用されるときにはパイプの引き出し長さを適当な長さに調節できる。なお、ロッド３は、携帯に便利であるように、パイプが縮められた収納状態で長さが５ｃｍ以上３０ｃｍ以下であることが好ましい。より好ましくは、１０ｃｍ以上２０ｃｍ以下である。ロッド３の収納長さがこの程度であれば、聴診具が上着やズボンのポケットに収納され携帯しやすい。ロッド３の長さが自在に伸縮できるため、この聴診具１は携帯及び保管に便利である。
【００１４】
ロッド３が伸ばされたときの最大長さは、用途により種々設定され得る。しかし、あまり長いとロッド３が折れやすくなり、携帯や取り扱い面の制約も生じる。あまり短いと従来のドライバー聴診器と大差がなくなる。このため、ロッド３は、通常４０ｃｍ以上２５０ｃｍ以下程度であることが好ましい。より好ましくは６０ｃｍ以上１２０ｃｍ以下である。
【００１５】
ロッド３は、上記のとおり直径が異なる中空パイプからなる。ロッド３の先端部分に感知された振動音は、パイプの中で振動波が干渉し合い又は共鳴し合うせいか、微小でも後端の太径パイプＰ１まで意外に大きくよく伝わる。したがって、機械の軸受け部分のボールベアリングの損傷等があるときには、この聴診具によって、不規則な雑音を聴診者が明確に聞くことができる。
【００１６】
聴診具１には、携帯に便利であるように上記クリップ７が取り付けられていることが好ましい。このクリップ７がポケット等に留められれば、携帯中に聴診具１が移動することがない。このため、激しく動いたり、かがんだりしてもポケット等のなかから脱落したり、失ったりする恐れが少なくなる。クリップ７の種類、位置等は特に限定されない。この例では、上記クリップ７は、万年筆と同様のポケットクリップ７が太径パイプ（Ｐ１）に固定されている。このクリップ７は、一端部に取付用環部８を含み、これと一体に形成されている。後述する耳当部５が締結されるときに、この取付用環部８が耳当部５とともに締結されることによりクリップ７が固定される。
【００１７】
耳当部５は、図３に示されているように、上記ロッド３の後端１３に取り付けられている。この耳当部５は、人の耳が当接されたときに、角部や凹凸等により違和感を生じさせないことが好ましい。このため、耳が当接する部分は、曲面を備えた曲面体１５からなり、滑らかな表面を備えていることが好ましい。この聴診具１では、耳当部５は、曲面体１５として球体が用いられている。
【００１８】
材質は、特に限定されないが、可撓性のあるゴム等では振動吸収性があり、聴診音が減衰する恐れがあるため、通常は金属又は樹脂が用いられる。金属製である場合は、耐傷性に優れているが、冬季に冷たい欠点がある。冬季にも金属より冷たくなく、耳が当接されたときに触感がよい点から、この曲面体１５は、樹脂製であることがより好ましい。
【００１９】
樹脂製の曲面体１５の場合、振動伝達性等の観点から、用いられる樹脂は、ショアＤ硬度が５０以上であることが好ましい。より好ましくはショアＤ硬度が６０以上である。用いられる樹脂としては、ポリ塩化ビニル、ポリエチレン、塩素化ポリエーテル、ポリスチレン、スチレンアクリロニトリル、アクリロニトリル−ブタジエン−スチレン共重合体、ポリプロピレン、ポリアセタール、ポリメチルメタクリレート、ポリアミド、ポリカーボネート、アクリル樹脂、フッ化ビニリデン樹脂、フェノキシ樹脂、エポキシ樹脂、不飽和ポリエステル樹脂等が例示される。これらの樹脂は、単独又は併用して用いることができる。
【００２０】
上記曲面体１５の形状及び大きさに特に制限はないが、耳穴に沿いやすく、耳穴が当接されたときに隙間が小さくなることがより好ましい。この耳当部５の例では、当接感と携帯しやすさの面から曲面体１５の直径が１０ｍｍから３０ｍｍ程度であることが好ましい。より好ましくは１５ｍｍ以上２０ｍｍ以下である。
【００２１】
上記耳当部５は、この曲面体１５が取付部品１７に固定されて形成されている。曲面体１５は、樹脂等からなる熱可塑性樹脂等から成形される。曲面体１５の取付構造は、振動音が減衰されることなく固定される限り特に限定されない。この例では、図３に示されているように、取付部品１７は、芯部１９とフランジ部２１とネジ切り部２３とを有し一体に形成されている。上記曲面体１５は、この芯部１９に固着されている。固着方法は、例えば、樹脂球に形成された嵌合用穴に本体が接着される。また、本体１５を中心にして樹脂が溶融、固化されて一体成形されてもよい。曲面体１５が金属製である場合は、本体と曲面体とがネジ構造又は溶接により固着されてもよい。
【００２２】
上記フランジ部２１は、ネジ切り部２３が締め込まれたときにロッドの後端１３に密着する。このネジ切り部２３は、ロッドの後端１３に固定されネジ切り部２３に相応しているナット部２５に適合される。このネジ切り部２３がナット部２５に締め込まれることにより耳当部５が固定される。万一この樹脂曲面体１５が損傷した場合には、耳当部５を交換することができる。
【００２３】
図４（ａ）に示されているように、上記ロッド３の先端部分には、先端のパイプ（Ｐ７）の先端に触端部９が固定されている。この触端部９の先端は尖っているために通常は、これを覆うためのカバー１１が聴診具１に付属されている。図４（ｂ）に示されているように、この触端部９は、一体に形成されている。この触端部９は、上記パイプへの固定部分に連なりパイプＰ７より大きい直径を有する太径部２７を備えている。この太径部２７の表面は、ネジ切りされている。この太径部２７のさらに先端側には細径部２９が棒状に伸びている。
【００２４】
この細径部２９は、先端に先細りのテーパーを有して円錐台状に形成された頂部３１を備えている。この細径部２９が太いと、微小な振動が聴診しにくくなる。しかし、この細径部が細いと頂部３１はさらに細くなる。この細径部２９及び頂部３１が細いと、針状になって人にとって危険であるとともに、耐久性に劣る。このため、頂部３１を除く細径部２９の太さは、断面が円の直径にして、１ｍｍ以上３ｍｍ以下に相当する程度に形成されることが好ましい。この細径部２９は、太い場合は長くし、細い場合は短く適宜調節されれば、上記の範囲を超えても用い得る場合がある。上記頂部３１は、例えば形状が円とし他場合、直径が０．５ｍｍ以上１．０ｍｍ以下程度であることが好ましい。より好ましくは０．３ｍｍ以上２．０ｍｍ以下である。この範囲であれば、カバー１１がされていない状態で危険性が少ない。また、機械の異常音等の振動音を十分聴診できる。
【００２５】
カバー１１は、触端部９が、直接人に当たったり、衣服を損傷したりしないように、聴診具１を携帯し又は保管するときに装着される。このカバー１１の内側には、触端部９の太径部２７に設けられているネジに相応したネジ切り部３３を有している。カバー１１は、肌触り及び衝撃緩和性の観点から樹脂製が好適に用いられる。
【００２６】
図５は、本発明の他の実施形態に係る聴診具４１が示された正面図である。この聴診具４１も伸縮自在のロッド４３と、このロッド４３の一端に取り付けられた耳当部４５とを備えている。この図に示されているように、この聴診具４１は、耳当部４５に半球径の曲面体４７を備えている。この曲面体４７では、耳が当接される曲面の面積が大きく、聴診者が耳を当てやすい。すなわち、耳当部４５の有効面積が増加できる。このため、曲面体４７が球体の場合に比べて、同じ曲面面積にすると耳当部４５の重さが節減できるメリットがある。この聴診具４１も図１の聴診具１と同様にクリップ４８、触端部及びカバー４９携帯に便利であり、聴診者の手元から遠い機械類でも聴診しやすい。
【００２７】
図６は、本発明のさらに他の実施形態に係る聴診具５１が示された正面図である。この聴診具５１も伸縮自在のロッド５３と、このロッド５３の一端に取り付けられた耳当部５５とを備えている。この聴診具５１の耳当部５５には、曲面体の変わりに、医療用に用いられる聴診器と類似の構造を有する聴診管５７が用いられている。この聴診管５７は、上記曲面体に比べると嵩張る。しかし、この聴診具５１はロッド５３を備えているため、従来の聴診器に比べるとチューブの部分が大幅に短縮できる。このため、携帯時には可撓性のチューブは折りたたまれて小さくなり嵩張らない。また、聴診具５１にも触端部、クリップ５９及びカバー６１が備えられている。この聴診具５１も、聴診時には、奥まった部分で無理なく聴診でき、携帯に便利である。
【産業上の利用可能性】
【００２８】
本発明は、自動車、工場等に用いられる機械類の聴診に適用されうる。
【図面の簡単な説明】
【００２９】
【図１】図１は、本発明の一実施形態に係る聴診具が示された正面図である。
【図２】図２は、ロッドが伸ばされた状態が示された正面図である。
【図３】図３は、聴診具の後端部分が示された部分断面図である。
【図４】図４は、聴診具の先端部分が示された部分正面図及び断面図である。
【図５】図５は、本発明の他の実施形態に係る聴診具が示された正面図である。
【図６】図６は、本発明のさらに他の実施形態に係る聴診具が示された正面図である。
【符号の説明】
【００３０】
１、４１、５１・・・聴診具
３、４３、５３・・・ロッド
５、４５、５５・・・耳当部
７、４８、５９・・・クリップ
９・・・触端部
１１、４９、６１・・・カバー
１５・・・曲面体
１７・・・取付部品
５７・・・聴診管
【図１】
2005300343.tif 000003
【図２】
2005300343.tif 000004
【図３】
2005300343.tif 000005
【図４】
2005300343.tif 000006
【図５】
2005300343.tif 000007
【図６】
2005300343.tif 000008